【事件の表示】
　特願２００２−３６６７０７「弾球遊技機の球抜き装置」拒絶査定不服審判事件〔平成１６年　７月１５日出願公開、特開２００４−１９４８８８〕について、次のとおり審決する。
【結　論】
　本件審判の請求は、成り立たない。
【理　由】
第１．手続の経緯等
　本願は、平成１４年１２月１８日の出願であって、平成１７年６月１５日付けで拒絶理由が通知され、これに対し平成１７年８月５日付けで手続補正がされ、平成１７年１１月７日付けで拒絶査定がされ、これに対し平成１７年１２月１５日付けで拒絶査定不服審判が請求されるとともに、平成１８年１月１２日付けで手続補正がされたものである。
　　
第２．平成１８年１月１２日付けの手続補正についての補正却下の決定
［補正却下の決定の結論］
　平成１８年１月１２日付けの手続補正（以下、「本件補正」という。）を却下する。
　
［理由］
１．補正後の本願発明
　本件補正により、特許請求の範囲の請求項１は、
　「遊技盤に遊技球を発射させる打球発射装置と、皿部材に貯留された遊技球を案内通路に整列流下させて前記打球発射装置に供給する球皿と、前記遊技盤における入賞状態に基づいて前記皿部材に遊技球を払い出す球払出装置と、前記球払出装置から遊技球が払い出されて少なくとも前記皿部材に遊技球が充満した満杯状態を検出する満杯検出スイッチとを備える弾球遊技機の球抜き装置であって、
　前記案内通路内に遊技球を残したまま前記皿部材に貯留された遊技球を前記案内通路の上流側に繋がった前記皿部材の底面に形成される球抜き口から排出させる第１の球抜き機構と、
　前記皿部材に貯留された遊技球および前記案内通路に位置する遊技球を前記案内通路の下流端部から前記案内通路の下流端部に繋がる球抜き路を通過させて排出させる第２の球抜き機構とを備え、
　前記第１の球抜き機構の操作部と前記第２の球抜き機構の操作部とが片手で操作可能に近接して配設されており、
　前記第１の球抜き機構に、前記満杯検出スイッチが前記満杯状態を検出したとき前記第１の球抜き機構の前記操作部を発光させて前記第１の球抜き機構による球抜き処理を促す満杯報知ランプが設けられていることを特徴とする弾球遊技機の球抜き装置。」（以下、「本願補正発明」という。）と補正された。
　
　上記補正は、請求項１に記載した発明を特定するために必要な事項である補正前の「前記皿部材に貯留された遊技球を排出させる」を「前記案内通路内に遊技球を残したまま前記皿部材に貯留された遊技球を前記案内通路の上流側に繋がった前記皿部材の底面に形成される球抜き口から排出させる」と限定し、同「前記案内通路に位置する遊技球を排出させる」を「前記皿部材に貯留された遊技球および前記案内通路に位置する遊技球を前記案内通路の下流端部から前記案内通路の下流端部に繋がる球抜き路を通過させて排出させる」と限定し、同「満杯報知ランプ」について「前記第１の球抜き機構による球抜き処理を促す」との限定を付加するものであり、平成１８年改正前特許法１７条の２第４項２号の特許請求の範囲の減縮を目的とするものに該当する。
　そこで、本願補正発明が特許出願の際独立して特許を受けることができるものであるか（平成１８年改正前特許法１７条の２第５項において準用する同法１２６条５項の規定に適合するか）について以下に検討する。
　
２．引用文献について
（１）引用文献１について
　原査定の拒絶の理由に引用された特許第２５７７２８６号公報（発行日：平成９年１月２９日）（以下、「引用文献１」という。）には、以下の事項が図面とともに記載されている。
　
・記載事項１−１
　「この発明は、パチンコ遊技機の球抜き装置に関し、更に詳細には、パチンコ球を利用してゲームを行ない得る遊技機において、遊技者側の球受け部材内に貯留されたパチンコ球を抜出すための球抜き装置に関するものである。」（段落【０００１】）　
　
・記載事項１−２
　「本体２６の上部から下方に亘り、賞球用の貯留タンク３１、整流樋３２、送出樋３３および賞球排出装置３４等が設置されており、この排出装置３４の下方に上球皿Ｄ1側の出口９に連通する主排出路３５と、これより分岐連設されて下球皿Ｄ2側の口８に連通する副排出路３６が画成されている。」（段落【００１５】）
　
・記載事項１−３
　「前記副排出路３６の所定部位に、図２に示す如く、賞球充満検出機構３８が組付けられている。この機構３８は、副排出路３６内の貯留球の圧力(重量)を受けて変動される感知部材３９と、この感知部材３９の変動時に作動される第１および第２の検出スイッチ４０Ａ,４０Ｂが配設された形式例とされている。このもとで、第１のスイッチ４０Ａの検出作動が、前記打球発射装置１７の駆動部１７ｂに対する打止め制御(通電遮断)として利用される。また第２のスイッチ４０Ｂの検出作動時の信号が、後述する球抜き作動用の電磁ソレノイド９８に対する球抜き制御信号として利用される。」（段落【００１６】）　
　
・記載事項１−４
　「上球皿Ｄ1については、図４〜図７に示すように、合成樹脂成形されて実質的な球皿部材とされた皿本体４１と、球皿の補強用外装部材とされた外郭保護体４８とが互いに内外組合されて、前面開閉板１５の前面において内側から締付けられるビスにより取着セットされている。この皿本体４１において、正面中央から左半側の上流部に平面ほぼ半円状の貯留部４２が成形され、右半側の下流部に先細状の整流部４３が成形されて、双方４２,４３の底面がともに同様な送出勾配で連設されている。そして貯留部４２の中央部から整流部４３の下流端に亘る底面上に１本の帯状のレール４４が敷設されて、球を１列状態で送出する送出路４５が形成されている。」（段落【００１８】）
　
・記載事項１−５
　「そしてこの上球皿Ｄ1において、整流部４３の下流端に球１個分に適した開口面域の送出口４６が形成されて、前記球送り装置１６の入口に整合連通される。一方皿本体４１の貯留部４２が、前記賞球用の出口９に対して連通口４９で連絡される。」（段落【００１９】）　　　
　
・記載事項１−６
　「上球皿Ｄ1の整流部４３と貯留部４２に対応する所定部位に、外郭保護体４７の外側から指先操作で開放し得る第１および第２の球抜き機構５１,６１が夫々装備されている。第１の球抜き機構５１は、皿本体４１の内側に画成されて上流端を送出口４６の下方に連絡し、下流端を後述の下球皿Ｄ2側に臨ませた球抜き通路５２と、皿本体４１表側の案内枠部５３Ａ内に左右方向へ移動自在に嵌挿されて常にはばね５６で閉鎖方向(図示右方)に付勢された移動体５４と、この移動体５４の上部内側に成形されて皿本体４１のスライド口５７から送出口４６および球抜き通路５２の連通部位に延出された開閉弁５５と、外郭保護体４７下部の案内口枠６０Ａの表側に位置されて移動体５４に組付け連結された操作具５８とから構成されている。そして通常時には移動体５４の開閉弁５５が送出口４６の底面および球抜き通路５２の上端を閉鎖した状態に保持されており、操作具５８の操作により開閉弁５５を、送出口４６の底面および球抜き通路５２の上端から退避することにより球抜き開放状態にし得る。」（段落【００２０】）　
　
・記載事項１−７
　「第２の球抜き機構６１は、図５および図６に示す如く、皿本体４１の貯留部４２の中央部底面に形成された球抜き口６２と、皿本体４１の内側に画成されて上流端を球抜き口６２の下方に連絡し、下流端を前記戻し口１１に臨ませた球抜き通路６３と、皿本体４１の表側の案内枠部５３Ｂ内に左右方向へ移動可能に嵌挿されて常にはばね６６で閉鎖方向(図示右方)に付勢された移動体６４と、この移動体６４の上部内側に成形されて皿本体４１のスライド口６７から球抜き口６２の下面に延出された開閉弁６５と、外郭保護体４７下部の案内口枠６０Ｂの表側に位置されて移動体６４に組付け連結された操作具６８とから構成されている。そして通常時には移動体６４の開閉弁６５が球抜き口６２を閉鎖した状態に保持されており、操作具６８の操作により開閉弁６５を、球抜き口６２から退避させることにより球抜き開放状態にし得る。」（段落【００２２】）　
　
・記載事項１−８
　「前記パチンコ機Ｐでは、遊技に供された状態のもとで所要の遊技操作を行なうことにより、ゲーム開始手段である打球発射装置１７の作動および球送り装置１６の作動の関連に基いて、上球皿Ｄ1内のパチンコ球(遊技球)が球送り装置１６を介して１球ずつ発射レール２４に送込まれ、同レール２４から遊技盤１８の遊技面内に打込まれてゲームが展開される。そしてこのゲーム中において、アウト口２０、各入賞具２１,２２に入った遊技球は、アウト球、セーフ球として最終的に機構セット盤２５の各排出路２８,２９から機外へ排出される。一方セーフ球に対する褒賞として、夫々のセーフ球がセーフ球処理装置３０で１球ずつ検出確認処理されることの前提において、セット盤２５における賞球排出装置３４が設定作動されることに基いて、所定数の賞球が排出される。」（段落【００３０】）
　
・記載事項１−９
　「そしてこの賞球は、常に上球皿Ｄ1側へ優先的に排出され、オーバフローした余剰分が下球皿Ｄ2側へ排出される。すなわち前記賞球排出装置３４の毎回の作動により主排出路３５に向けて排出された賞球は、図５に示す如く、同路３５内を流下して前枠２側の賞球用出口９から前面開閉板１５側の連通口４９を通って上球皿Ｄ1の貯留部４２に放出される。次いで賞球は、球皿Ｄ1の勾配に沿って下流側へ移動して整流部４３で順次整列化されながら送出路４５内を１列状態で通出し、前述したゲームの継続状態において、遊技球として送出口４６から先行順に通出して、第１の球抜き機構５１における開閉弁５５上を経由して球送り装置１６内へ通入する。」（段落【００３１】）
　
・記載事項１−１０
　「上球皿Ｄ1側においては、状況に応じて双方の球抜き機構５１,６１を開放操作する。例えばゲームの終了にあたり貯留球の全てを抜出す場合には、第１の球抜き機構５１を開放操作することに同期関連して第２の球抜き機構６１も開放される。すなわち第１側の操作具５８を、指先操作で図６において左方へ押動することにより、移動体５４の開閉弁５５の変移に伴ない送出口４６の底面が開放されて球抜き通路５２と連通される。また第１側の移動体５４に対して第２側の移動体６４が連杆７７を介して押動されることにより、開閉弁６５の変移に伴ない球抜き口６２の下面が開放されて球抜き通路６３と連通される。これにより上球皿Ｄ1の下流部および上流部が、ともに球抜き開放状態に保持される。」（段落【００３４】）　
　
・記載事項１−１１
　「従って、上球皿Ｄ1の貯留部４２および球整流部４３の貯留球については、送出口４６から球抜き通路５２を流通し、そして下球皿Ｄ2側の排出樋８４から通路８５を通って貯留部８３に排出される。また上球皿Ｄ1の貯留部４２および連通口４９から出口９に至る貯留球については、球抜き口６２から球抜き通路６３を流通し、そして前記戻し口１１から球収容器３７に排出されて最終的には下球皿Ｄ2の貯留部８３に放出される。この結果、上球皿Ｄ1側の全ての貯留球が短時間で速やかに排出される。」（段落【００３５】）　
・記載事項１−１２
　「またゲーム中に貯留球の一部を必要に応じて抜出す場合には、前述の第２の球抜き機構６１のみを単独で適時開放操作する。すなわち操作具６８を指先操作で図中左方へ押動することにより、前述のように移動体６４の開閉弁６５の変移に伴ない球抜き口６２が開放されて球抜き通路６３と連通される。従って、上球皿Ｄ1の貯留部６２および連通口４９側に至る貯留球は、球抜き口６２から球抜き通路６３、戻し口１１、球収容器３７の順に流通して下球皿Ｄ2へ排出される。なお、この球抜き時においては、少なくとも貯留部４２および整流部４３に至る貯留球を利用して相応の時間に亘りゲームを正常に継続することができる。」（段落【００３６】）
　
　以上の記載事項１−１〜１−１２及び図１〜１２によれば、引用文献１には次の発明が記載されていると認められる。
　
　「遊技面内に遊技球を発射する打球発射装置１７と、皿本体４１の貯留部４２の貯留球を整流部４３で順次整列化させて打球発射装置１７に送込む上球皿Ｄ1と、セーフ球が１球ずつ検出確認処理されると賞球を皿本体４１に排出する賞球排出装置３４と、下球皿Ｄ2側の口８に連通する副排出路３６内の貯留球の圧力(重量)を受けて変動される感知部材３９を有する賞球充満検出機構３８とを備えるパチンコ遊技機の球抜き装置であって、
　上球皿Ｄ1の貯留部４８および連通口４９側に至る貯留球を球抜き口６２から排出させるとともに、この球抜き時において少なくとも貯留部４２および整流部４３に至る貯留球を利用して相応の時間に亘りゲームを正常に継続することを可能とする、第２の球抜き機構６１と、
　上球皿Ｄ1の貯留部４２および球整流部４３の貯留球を整流部４３の下流端の送出口４６から球抜き通路５２を通過させて排出させる第１の球抜き機構５１と、
　前記第２の球抜き機構６１の操作具６８と第１の球抜き機構５１の操作具５８を配設した、
　パチンコ遊技機の球抜き装置。」（以下、「引用発明１」という。）
　なお、上記記載事項１−１２において「上球皿Ｄ1の貯留部６２および連通口４９側に至る貯留球」と記載されているが、「貯留部」は「４８」であること、引用文献１の記載全体からみて球抜き口６２からは貯留部４８における貯留球を排出することは明らかであるから、上記記載事項１−１２の「貯留部６２」は「貯留部４８」の誤記と認められる。このため、上記引用発明１の認定において、「上球皿Ｄ1の貯留部４８および連通口４９側に至る貯留球」と認定した。
　
（２）引用文献２について
　原査定の拒絶の理由に引用された特開平１１−９７９４号公報（公開日：平成１１年１月１９日）（以下、「引用文献２」という。）には、以下の事項が図面とともに記載されている。
　
・記載事項２−１
　「パチンコ機前面下部に設ける球皿を大容量化して１皿とし、前記球皿の底面に、前記球皿内に貯溜されたパチンコ球をパチンコ機外に排出する第１球抜き口と、これを開閉する第１球抜き部材とを設け、前記球皿内のパチンコ球を球発射装置に案内する案内流路の下流部に、前記パチンコ球をパチンコ機外に排出する第２球抜き口と、これを開閉する第２球抜き部材とを設けたことを特徴とするパチンコ機。」（【特許請求の範囲】【請求項１】）
　
・記載事項２−２
　「尚、例えば２つの操作レバー３７，４３を接近させて配置すれば、遊技者は、片手で２つの操作レバー３７，４３を同時に操作することが可能となり、便利である。勿論、両手で各操作レバー３７，４３を操作しても良く、或は、片手で第１球抜き口３１を開放して球皿２１内のパチンコ球を排出した後、片手で第２球抜き口３２を開放して案内流路２７内のパチンコ球を排出するようにしても良いことはいうまでもない。」（段落【００２４】）
　
３．対比
　本願補正発明と引用発明１を対比する。
　引用発明１の「遊技面」は本願補正発明の「遊技盤」に相当し、以下同様に、「皿本体４１」は「皿部材」に、「上球皿Ｄ１」は「球皿」に、「賞球」は「遊技球」に、「賞球排出装置３４」は「球払出装置」に、「賞球充満検出機構３８」は「満杯検出スイッチ」に、「操作具」は「操作部」に相当する。
　また、引用発明１及び本願補正発明において、「球抜き機構」について「第１の」及び「第２の」との限定が行われているが、この「第１」及び「第２」は、それ自体には技術的意味はなく、単に相対的に区別するために記載されたものと認められる。
　そして、引用発明１について、以下の（１）〜（５）のことがいえる。
（１）「皿本体４１の貯留部４２の貯留球を整流部４３で順次整列化させて打球発射装置１７に送込む上球皿Ｄ1」について
　上記「整流部４３」は「球を１列状態で送出する送出路４５」を有するもの（上記記載事項１−４）であって、この「送出路４５」は「打球発射装置１７」に遊技球を供給するものであり本願補正発明の「案内通路」に相当することは明らかである。そして、「送出路４５」に入る前に遊技球は整列流下されるものである。
　そうすると、引用発明１は、「皿部材に貯留された遊技球を案内通路に整列流下させて打球発射装置に供給する球皿」なる構成を実質的に具備している。
（２）「セーフ球が１球ずつ検出確認処理されると賞球を皿本体４１に排出する賞球排出装置３４」について
　「セーフ球が１球ずつ検出確認」されるということは遊技球が遊技面の入賞具に入ったことすなわち入賞が確認されることであり、入賞が確認されると賞球が排出されるということは入賞状態に基づいて遊技球を払い出すといいかえることができる。
　そうすると、引用発明１は、「遊技盤における入賞状態に基づいて皿部材に遊技球を払い出す球払出装置」なる構成を実質的に具備している。
（３）「下球皿Ｄ2側の口８に連通する副排出路３６内の貯留球の圧力(重量)を受けて変動される感知部材３９を有する賞球充満検出機構３８」について
　「副排出路３６内の貯留球の圧力(重量)を受けて変動される」のは、「下球皿Ｄ2」が「賞球排出装置３４」から排出された貯留球で満杯になると共に更に「副排出路３６」内が貯留球で満杯になった時であるから、「賞球充満検出機構３８」は「下球皿Ｄ2」に遊技球が充満した満杯状態を検出するものということができるとともに、「下球皿Ｄ2」も「皿部材」を有することは自明である。
　そうすると、引用発明１は、「球払出装置から遊技球が払い出されて皿部材に遊技球が充満した満杯状態を検出する満杯検出スイッチ」なる構成を実質的に具備している。
（４）「上球皿Ｄ1の貯留部４８および連通口４９側に至る貯留球を球抜き口６２から排出させるとともに、この球抜き時において少なくとも貯留部４２および整流部４３に至る貯留球を利用して相応の時間に亘りゲームを正常に継続することを可能とする、第２の球抜き機構６１」について
　「球抜き口６２」が「送出路４５」の上流側に繋がった皿本体４１の底面に形成されることは引用文献１の図４、６、７から明らかであり、球抜き時に「貯留部４２および整流部４３に至る貯留球を利用して相応の時間に亘りゲームを正常に継続する」ことが可能であるということは「貯留部４２および整流部４３」に「貯留球」が残されることを意味しており、当然整流部４３の一部である「送出路４５」にも「貯留球」が残されるものである。
　そうすると、引用発明１は、「案内通路内に遊技球を残したまま皿部材に貯留された遊技球を案内通路の上流側に繋がった皿部材の底面に形成される球抜き口から排出させる第１の球抜き機構」なる構成を実質的に具備している。
（５）「上球皿Ｄ1の貯留部４２および球整流部４３の貯留球を整流部４３の下流端の送出口４６から球抜き通路５２を通過させて排出させる第１の球抜き機構５１」について
　「球抜き通路５２」は、「送出路４５」の下流端部の「送出口４６」に繋がっていることは引用文献１の図７から明らかであり、本願補正発明の「球抜き路」に相当する。
　そうすると、引用発明１は、「皿部材に貯留された遊技球および案内通路に位置する遊技球を案内通路の下流端部から案内通路の下流端部に繋がる球抜き路を通過させて排出させる第２の球抜き機構」なる構成を実質的に具備している。
　
　以上より、両者は、
　「遊技盤に遊技球を発射させる打球発射装置と、皿部材に貯留された遊技球を案内通路に整列流下させて前記打球発射装置に供給する球皿と、前記遊技盤における入賞状態に基づいて前記皿部材に遊技球を払い出す球払出装置と、前記球払出装置から遊技球が払い出されて皿部材に遊技球が充満した満杯状態を検出する満杯検出スイッチとを備える弾球遊技機の球抜き装置であって、
　前記案内通路内に遊技球を残したまま前記皿部材に貯留された遊技球を前記案内通路の上流側に繋がった前記皿部材の底面に形成される球抜き口から排出させる第１の球抜き機構と、
　前記皿部材に貯留された遊技球および前記案内通路に位置する遊技球を前記案内通路の下流端部から前記案内通路の下流端部に繋がる球抜き路を通過させて排出させる第２の球抜き機構と、
　前記第１の球抜き機構の操作部と前記第２の球抜き機構の操作部とを配設した弾球遊技機の球抜き装置。」である点で一致し、以下の点で相違する。
　
＜相違点１＞
　遊技球が充満した満杯状態を検出する満杯検出スイッチの検出対象である皿部材が、本願補正発明では、第１の球抜き機構及び第２の球抜き機構が遊技球の排出を行う「前記皿部材」であるのに対して、引用発明１では第１の球抜き機構及び第２の球抜き機構が遊技球の排出を行う「前記皿部材」とは別の皿部材（下球皿Ｄ2）である点。
＜相違点２＞
　第１の球抜き機構の操作部と第２の球抜き機構の操作部とが、本願補正発明では片手で操作可能に近接して配設されるのに対して、引用発明１ではそのような構成を有していない点。
＜相違点３＞
　本願補正発明では、第１の球抜き機構に前記満杯検出スイッチが前記満杯状態を検出したとき前記第１の球抜き機構の前記操作部を発光させて前記第１の球抜き機構による球抜き処理を促す満杯報知ランプが設けられているのに対して、引用発明１ではそのような構成を有していない点。
　
４．判断
　上記相違点について検討する。
＜相違点１＞について
　球皿を１つにすることは上記引用文献２、下記周知例Ａ、下記周知例Ｂに例示されるように本願出願前周知であり、また、球皿に遊技球が満杯になったことを満杯検出手段で検出することはパチンコ機において通常採用される慣用手段にすぎない。なお、下記周知例Ａ，Ｂにおいても満杯になったことを検出している。
　そうすると、上記周知技術及び慣用技術を参酌すると、引用発明１において、遊技球が充満した満杯状態を検出する満杯検出スイッチの検出対象である皿部材を第１の球抜き機構及び第２の球抜き機構が遊技球の排出を行う「皿部材」（上球皿Ｄ1の皿本体４１）とすることに困難性はなく、上記相違点１に係る本願補正発明の構成とすることは当業者が容易に成し得たことである。
＜相違点２＞について
　２つの球抜き機構の操作レバーを近接させて配置すれば、遊技者が片手で２つのレバーを同時に操作することが可能であることが上記引用文献２に記載（上記記載事項２−２）されており、当該操作レバーは本願補正発明の操作部に相当するものである。
　そうすると、引用発明１において、上記引用文献２に記載された技術事項を採用し、上記相違点２に係る本願補正発明の構成とすることは当業者が容易に成し得たことである。
＜相違点３＞について
　球皿に遊技球が満杯になったことを満杯検出手段で検出したとき報知を行うことは、下記周知例Ａ、Ｃに例示されるように本願出願前周知であり、スイッチ又はボタンを発光させて遊技者にその操作を促すことは下記周知例Ｄ、Ｅに例示されるように本願出願前に周知である。
　そして、球皿が満杯になった場合に満杯検出手段の検出に基づき球払出装置の作動が停止されることはパチンコ機において普通に採用されることであり、球抜きを行わない限り球の払い出しが行われないことは遊技者に広く知られていることである。なお、この点は下記の周知例Ｂ、Ｃにも記載されている。
　また、球皿が満杯状態になるのは普通は大当りが発生している時であり、大当りの発生中に遊技者が遊技を続行すなわち遊技面内に遊技球を発射できなくなれば、時間によって開放する時間が決まっている大入賞口に遊技球が入賞できない等により遊技者にとって得られたであろう利益（遊技球の払い出し）が失われることになる。したがって、満杯状態を解消するため球抜きを行う際に遊技球の発射の必要性が高いことは自明であるから、引用発明１において、第１の球抜き機構５１の操作に比べ、球抜き時に相応の時間に亘りゲームを正常に継続することが可能な第２の球抜き機構６１の操作の必要性が、満杯時の球抜き時に高いことは明らかである。
　以上を勘案すると、引用発明１において、第２の球抜き機構（本願補正発明の第１の球抜き機構に相当）に賞球充満検出機構３８が満杯状態を検出した時に第２の球抜き機構の操作具を発光させて第２の球抜き機構による球抜き処理を促す満杯報知ランプを設けるようにすることにより、相違点３に係る本願補正発明の構成とすることは当業者が容易に成し得たことである。
＜周知例＞
Ａ．特開平９−２４１３４号公報
　特に、段落【０００８】の「これにより、１つの球受皿で貸し球と賞球及びファール球を全て処理することができるようになるため、従来の“下皿”が不要となり、遊技盤の下方に設ける球受皿が１皿のみで良くなる。」、段落【００３５】の「その他、本発明は、球受皿２５内に賞球を導く賞球通路の途中に、球受皿２５内の賞球貯留量が満杯になったか否かを検出する手段を設け、満杯になったときにその旨を表示又は音で報知する報知手段を設けるようにしても良い等、要旨を逸脱しない範囲内で種々変更して実施できることは言うまでもない。」を参照。
Ｂ．特開２００１−３３４０４９号公報
　特に、段落【００１４】の「一方、図２及び図３に示すように、本体枠１１の前面下部には、前面パネル１９が設けられ、この前面パネル１９に、１皿化された大容量の球皿２０が設けられている。球皿２０は、前面パネル１９から前方に突出した前皿部２１と、前面パネル１９よりパチンコ機後部側に広がる後皿部２２とから構成されている。」、段落【００３０】の「また、本実施形態では、後皿部２２の上段側の貯溜スペース側に、満杯検出レバー３７及び満杯検出スイッチ３８を設け、後皿部２２内のパチンコ球貯溜量が後皿部２２の容量を越える手前で、パチンコ球貯溜量がほぼ満杯になったことを検出して、球払出装置１６の球払出動作を停止させるようにしているので、後皿部２２内に過剰にパチンコ球を貯溜してしまうことを防止でき、パチンコ機の前面パネル１９を開放しても、後皿部２２からパチンコ球がこぼれ落ちてしまうことを防止することができる。」を参照。
Ｃ．特開平１１−２５３６３４号公報
　特に、【要約】【解決手段】の「第１満杯検出手段76が下皿13の満杯状態を検出したときに遊技者に報知する満杯表示ランプ78a 等の報知手段と、第２満杯検出手段62が補助受け皿46の満杯状態を検出したときに球払い出し手段を停止させる制御手段とを備えている。」を参照。
Ｄ．特開２００２−９５７９２号公報
　特に、段落【０１９７】の「本実施の形態は、三個のストップスイッチ50の推奨操作順番に基づいて、ストップスイッチ50の操作を最も推奨するストップスイッチ50と、推奨操作順番に基づいて、操作を推奨しないが操作可能なストップスイッチ50との発光態様を異ならしめて、各ストップスイッチ50の発光部190を発光させるようにしたことに特徴を有するものである。」、段落【０１９８】の「具体的には、推奨停止操作順番に基づいて、停止操作で最も推奨するストップスイッチ50の発光部190を青色に発光させ、推奨停止操作順番に基づいて推奨はしないが、操作可能なストップスイッチ50の発光部190を黄色に発光させ、現時点で操作不可能なストップスイッチ50の発光部190を赤色に発光若しくは消灯させるものである。図１９に示すように、ストップスイッチ発光部224は、上述した青色発光ダイオード231及び赤色発光ダイオード232に加えて、黄色の発光が可能な黄色発光ダイオード240を設けているものである。」を参照。　
Ｅ．特開平５−１１５５９８号公報
　特に、段落【０２４４】の「また、ゲームの流れや各種スイッチの操作時等を遊技者にわかり易くする表示として、例えば、次のような変形例が考えられる。ストップボタン２２ａ，２２ｂ，２２ｃの押圧操作の有効時間を明瞭にする表示としては、ストップスイッチ有効表示ランプを各ストップボタン２２ａ，２２ｂ，２２ｃの周囲に配置してその有効時に点灯させるようにしても良いし、ストップボタン２２ａ，２２ｂ，２２ｃのボタンをその有効時に内部のランプを点灯させることによって発光させるようにしてもよい。」、段落【０２４５】の「オーバーフローや半端球が生じた時に賞球抜きスイッチ３３をその内部のランプを点灯させることによって発光させるようにしても良い。」を参照。
　
　そして、本願補正発明の効果は、引用発明１、引用文献２に記載された技術事項、上記周知技術から当業者が予測できる範囲のものである。
　
　したがって、本願補正発明は、引用発明１、引用文献２に記載された技術事項、上記周知技術に基づいて、当業者が容易に発明をすることができたものであるから、特許法２９条２項の規定により特許出願の際独立して特許を受けることができないものである。
　
５．むすび
　以上のとおり、本件補正は、平成１８年改正前特許法１７条の２第５項で準用する同法１２６条第５項の規定に違反するものであり、同法１５９条第１項で準用する同法５３条第１項の規定により却下されるべきものである。　
第３．本願発明について
１．本願発明の認定
　平成１８年１月１２日付けの手続補正は上記のとおり却下されたので、本願の請求項１に係る発明（以下、「本願発明」という。）は、平成１７年８月５日付けの手続補正書の特許請求の範囲の請求項１に記載された事項により特定される、以下のとおりのものである。
　「遊技盤に遊技球を発射させる打球発射装置と、皿部材に貯留された遊技球を案内通路に整列させて前記打球発射装置に供給する球皿と、前記遊技盤における入賞状態に基づいて前記皿部材に遊技球を払い出す球払出装置と、前記球払出装置から遊技球が払い出されて少なくとも前記皿部材に遊技球が充満した満杯状態を検出する満杯検出スイッチとを備える弾球遊技機の球抜き装置であって、
　前記皿部材に貯留された遊技球を排出させる第１の球抜き機構と、
　前記案内通路に位置する遊技球を排出させる第２の球抜き機構とを備え、
　前記第１の球抜き機構の操作部と前記第２の球抜き機構の操作部とが片手で操作可能に近接して配設されており、
　前記第１の球抜き機構に、前記満杯検出スイッチが前記満杯状態を検出したとき前記第１の球抜き機構の前記操作部を発光させる満杯報知ランプが設けられていることを特徴とする弾球遊技機の球抜き装置。」　
　
２．本願発明の進歩性の判断
（１）引用文献
　拒絶の理由に引用された引用文献及びその記載事項は、前記第２の２．に記載したとおりである。　
　
（２）対比・判断
　本願発明は、前記第２で検討した本願補正発明から、前記第２の１．（２）に記載した限定を補正前に戻したものである。
　そうすると、本願発明の構成をすべて含み、さらに他の構成要件を付加したものに相当する本願補正発明が、前記第２の４．に記載したとおり、引用発明、上記周知技術に基づいて当業者が容易に発明をすることができたものであるから、本願発明も同様の理由により、引用文献に基づいて当業者が容易に発明をすることができたものである。　
　
第４．むすび
　以上のとおり、本願発明は、引用発明１、引用文献２に記載された技術事項、上記周知技術に基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。